(57)【要約】【課題】施設等において既設のネットワーク環境を利用して簡易に使用でき、緊急地震速報、火災報知器の警報、防犯センサー情報などの緊急情報を、その施設内の各人のＰＣに瞬時に表示して伝達できる緊急情報ネットワーク表示システムを提供する。【解決手段】少なくとも一つの緊急情報通知機器からの入力信号を受け取り可能なサーバー２と、該サーバー２とネットワーク３を介して接続される複数のクライアント端末４とを備えてなり、サーバー２は、機器１から入力信号を受け取ったときに、信号発信元の機器に対応した表示命令信号を各端末４に送信するサーバーであり、クライアント端末４は、表示装置を有し、サーバー２より表示命令信号を受け取ったときに、該表示命令信号に対応した該端末に登録された画像を表示装置に表示する端末である。【選択図】図１
2010113472.tif 000002
【特許請求の範囲】
【請求項１】
少なくとも一つの緊急情報通知機器からの入力信号を受け取り可能なサーバーと、該サーバーとネットワークを介して接続される複数のクライアント端末とを備えてなる緊急情報ネットワーク表示システムであって、
前記サーバーは、前記緊急情報通知機器から入力信号を受け取ったときに、信号発信元の緊急情報通知機器に対応した表示命令信号を前記複数のクライアント端末に送信するサーバーであり、
前記クライアント端末は、表示装置を有し、前記サーバーより前記表示命令信号を受け取ったときに、該表示命令信号に対応した該端末に登録された画像を前記表示装置に表示する端末であることを特徴とする緊急情報ネットワーク表示システム。
【請求項２】
前記表示命令信号は、パケット長が最大９文字のパケット信号であることを特徴とする請求項１記載の緊急情報ネットワーク表示システム。
【請求項３】
前記クライアント端末において、前記サーバーから前記表示命令信号を受け取り、該信号に対応した前記画像を表示する動作は、該端末上で実行されるプログラムによって行なわれることを特徴とする請求項１または請求項２記載の緊急情報ネットワーク表示システム。
【請求項４】
前記クライアント端末において、前記画像は、前記プログラム以外のプログラムが実行中であっても前記表示装置の画面最前面に表示されることを特徴とする請求項３記載の緊急情報ネットワーク表示システム。
【請求項５】
前記サーバーは、表示装置を有し、前記緊急情報通知機器から入力信号を受け取ったときに、信号発信元の緊急情報通知機器に対応した該サーバーに登録された画像を該表示装置に表示することを特徴とする請求項１ないし請求項４のいずれか一項記載の緊急情報ネットワーク表示システム。
【請求項６】
前記サーバーにおいて、前記緊急情報通知機器から入力信号を受け取り、信号発信元の緊急情報通知機器に対応した前記画像を表示する動作は、該サーバー上で実行されるプログラムによって行なわれることを特徴とする請求項５記載の緊急情報ネットワーク表示システム。
【請求項７】
前記クライアント端末および／または前記サーバーは、音声再生装置を有し、前記画像の表示と同時に、該画像と対応して登録されている音声を再生することを特徴とする請求項１ないし請求項６のいずれか一項記載の緊急情報ネットワーク表示システム。
【請求項８】
前記プログラムは、前記クライアント端末および／または前記サーバーにおいて、前記画像を、表示装置に表示された画面上で列挙された枠毎に該画像の内容を確認しつつ登録する手段を有することを特徴とする請求項３ないし請求項７のいずれか一項記載の緊急情報ネットワーク表示システム。
【発明の詳細な説明】
【技術分野】
【０００１】
本発明は、役所、学校、工場、民間会社などの既設のネットワーク環境において使用され、緊急地震速報、火災報知器の警報、防犯センサー情報などの緊急情報に係る外部信号をサーバーで受け、上記ネットワーク上のクライアント端末に音声と画像を瞬時に表示して上記緊急情報を伝える緊急情報ネットワーク表示システムに関する。
【背景技術】
【０００２】
役所、学校、工場、民間会社等では、地震、火災等の緊急情報を施設全体に伝達するために、従来より館内放送等を利用している。また、緊急情報を伝えるための専用の伝達装置を設けている工場等もある。また、これらの施設等では、近年、各従業員のＰＣ（Personal Computer）を社内ＬＡＮ（Local Area Network）等のネットワークで接続して、情報の相互交換を可能としている場合が多い。これを利用し、例えば、火災等の発生時には、特定の監視部署において火災状況を判断し、どの経路で非難するか等の指示内容を各従業員のＰＣにメールで送信すること等が行なわれている。
【０００３】
従来、ネットワークを利用した緊急状態を表示・伝達するシステムとしては、監視カメラ、プログラムされた映像配信と動体検知センサー機能を持つコンピュータ、データベースサーバー、ＷＥＢサーバー、メール送信サーバー、ハブノードなどを備えた緊急事態通知システムが開示されている（特許文献１参照）。これは、不法進入、障害などの緊急事態発生の通知を第１次レベルとなる監視カメラ管理者等までが知るような簡易なシステムに対して、サーバーを含めたネットワークで構築される上記システムにより、上記第１レベルと、町、地域、集合住宅全体の居住者等である第２レベルの通知者にまで通知を行うものである。これにより、多くの人が犯罪、災害の発生を認識し、地域全体がリアルタイムに正確な情報を把握できるようにすることで、２次３次の緊急事態発生を抑止できる。
【０００４】
【特許文献１】特開２００５−２６７５８６号公報
【発明の開示】
【発明が解決しようとする課題】
【０００５】
しかしながら、館内放送等では状況によって情報を聞き漏らす場合がある。また、緊急情報を伝えるためだけに、専用の伝達装置や、ＬＡＮ等のネットワークを新規に導入する場合では、コストが高くなり容易に導入することができない。また、ネットワークを介してメールを送信する場合は各個人まで情報を伝達できるが、ＰＣで別作業中の場合等、メールチェックまでにタイムラグがあり、瞬時に緊急情報を伝達できないという問題がある。
【０００６】
また、従来のネットワークを介した緊急情報通知手段や、特許文献１のようなシステムでは、管理者・監視者や、サーバーによって、まず緊急状態の状況解析等を行なう必要であり、瞬時に緊急情報を通知することができない場合があるという問題がある。また、特許文献１のシステムでは、ネットワークを介した画像データの転送等が必要であり、通信速度によっては情報伝達までに大幅なタイムラグが生じるおそれがある。
【０００７】
本発明はこのような問題点を解決するためになされたものであり、施設等において既設のネットワーク環境を利用して簡易に使用でき、緊急地震速報、火災報知器の警報、防犯センサー情報などの緊急情報を、その施設内の各人のＰＣに瞬時に表示して伝達できる緊急情報ネットワーク表示システムを提供することを目的とする。
【課題を解決するための手段】
【０００８】
本発明の緊急情報ネットワーク表示システムは、少なくとも一つの緊急情報通知機器からの入力信号を受け取り可能なサーバーと、該サーバーとネットワークを介して接続される複数のクライアント端末とを備えてなり、上記サーバーは、上記緊急情報通知機器から入力信号を受け取ったときに、信号発信元の緊急情報通知機器に対応した表示命令信号を上記複数のクライアント端末に送信するサーバーであり、上記クライアント端末は、表示装置を有し、上記サーバーより上記表示命令信号を受け取ったときに、該表示命令信号に対応した該端末に登録された画像を上記表示装置に表示する端末であることを特徴とする。特に、上記表示命令信号は、パケット長が最大９文字のパケット信号であることを特徴とする。
【０００９】
本発明において、「ネットワーク」とは上記表示命令信号等の電子信号を送受信可能な電子通信回線を示し、ＬＡＮやＷＡＮ（Wide Area Network）等が該当する。また、本発明において、特に明示してある場合を除き、「登録する」とは、サーバーやクライアント端末のＨＤＤ（Hard disk drive）等の記憶装置内に所定形式で保存（格納）することをいう。
【００１０】
上記クライアント端末において、上記サーバーから上記表示命令信号を受け取り、該信号に対応した上記画像を表示する動作は、該端末上で実行されるプログラムによって行なわれることを特徴とする。
【００１１】
上記クライアント端末において、上記画像は、上記プログラム以外のプログラムが実行中であっても上記表示装置の画面最前面に表示されることを特徴とする。
【００１２】
上記サーバーは、表示装置を有し、上記緊急情報通知機器から入力信号を受け取ったときに、信号発信元の緊急情報通知機器に対応した該サーバーに登録された画像を該表示装置に表示することを特徴とする。
【００１３】
上記サーバーにおいて、上記緊急情報通知機器から入力信号を受け取り、信号発信元の緊急情報通知機器に対応した上記画像を表示する動作は、該サーバー上で実行されるプログラムによって行なわれることを特徴とする。
【００１４】
上記クライアント端末および／または上記サーバーは、音声再生装置を有し、上記画像の表示と同時に、該画像と対応して登録されている音声を再生することを特徴とする。
【００１５】
上記プログラムは、上記クライアント端末および／または上記サーバーにおいて、上記画像を、表示装置に表示された画面上で列挙された枠毎に該画像の内容を確認しつつ登録する手段を有することを特徴とする。
【発明の効果】
【００１６】
本発明の緊急情報ネットワーク表示システムは、サーバーが、警報機等の緊急情報通知機器から入力信号を受け取ったときに信号発信元の機器に対応した表示命令信号を複数のクライアント端末に送信し、クライアント端末が、この表示命令信号を受け取ったときに緊急を伝える画像を表示するので、途中での管理者等の介在、サーバー上での緊急状態の解析作業、画像データの転送等がなく、警報機−サーバー−クライアント端末間のパケット信号等の信号伝達が瞬時に行なわれて上記表示がなされる。このため、施設内で発生した緊急情報を、クライアント端末を使用する各人に、発生からライムラグが少なく瞬時に伝達することができる。
【００１７】
上記クライアント端末において、サーバーから上記表示命令信号を受け取り、該信号に対応した上記画像を表示する動作は、該端末上で実行されるプログラムによって行なわれるので、既設のネットワークに上記サーバーを追加するとともに、既設端末に当該プログラムをインストールするだけで、本発明の緊急情報ネットワーク表示システムを低コストで導入できる。
【００１８】
上記クライアント端末において、上記画像は、上記プログラム以外のプログラムが実行中であっても表示装置の画面最前面に表示されるので、他の作業中であっても見過ごすことがなく、緊急情報を発生からタイムラグが少なく知ることができる。
【発明を実施するための最良の形態】
【００１９】
本発明の緊急情報ネットワーク表示システムの一実施例を図１により説明する。図１は、緊急情報ネットワーク表示システムの構成を示す模式図である。図１に示すように、緊急情報ネットワーク表示システムは、緊急情報通知機器１からの入力信号を受け取り可能なサーバー２と、該サーバー２とネットワーク３を介して接続される複数のクライアント端末４とを備える。緊急情報通知機器１は、警報機、火災報知器、防犯センサー、緊急地震速報ユニット等であり、サーバー２と、サーバー２の外部入力インターフェースを介して接続されている。緊急情報通知機器１は、１つまたは複数が同時に接続されていてもよい。
【００２０】
クライアント端末４は、ＯＳ（Operating System）等のデータを格納する記憶装置、緊急情報を伝える画像を表示する表示装置（ディスプレイ）などを有する。この表示装置は、端末と外部接続されたもの、または、端末と一体型（図１参照）のものであってもよい。クライアント端末４の記憶装置には、ＯＳ等のデータに加え、緊急を伝える画像、該画像に対応する音声、この表示動作を制御するプログラムなどが格納されている。クライアント端末４としては、既設のネットワーク上で使用していた既設のＰＣをそのまま利用できる。上記画像・音声、プログラムは、インストールすることで導入できる。
【００２１】
サーバー２は、緊急情報通知機器１と接続するための外部入力インターフェース、ＯＳ等のデータを格納する記憶装置、および表示装置２ａなどを有する。記憶装置としては、ＨＤＤやＳＳＤ（Solid State Drive）等を採用できる。サーバー２は、その性質上長時間の連続稼動となることから、故障率を低下するために、ＳＳＤを採用することが好ましい。サーバー２の記憶装置には、ＯＳ等のデータに加え、表示命令信号の送信等の動作（後述の（Ｓ１）〜（Ｓ３））を制御するプログラムなどが格納されている。また、サーバー２の表示装置２ａにおいて、クライアント端末４と同様の緊急情報を伝える画像を表示する場合には、記憶装置に上記端末４と同様の制御用のプログラムも格納されている。
【００２２】
サーバー２とクライアント端末４とを繋ぐネットワーク３としては、容易に低コストで導入可能であることから、役所、学校、工場、民間会社などの既設のＬＡＮを利用することが好ましい。なお、必要に応じて、インターネット網を介したＷＡＮ等を利用してもよい。また、後述するように、サーバー２とクライアント端末４との間で送受信する信号は、短いパケット信号であるため、ネットワーク３の通信速度が遅い場合（例えば、既設のＬＡＮで１０Ｍｂｐｓ等）であってもストレスなく利用できる。
【００２３】
サーバー２とクライアント端末４との接続は以下の手順で行なう。（１）サーバー２側が受付状態で待つ。（２）クライアント端末４がサーバー２のＩＰアドレス／ポート番号に対して接続要求を送信する。（３）クライアント端末４は、サーバー２に接続するまで３０秒毎に接続要求送信を繰り返す。（４）接続要求を受け付けたサーバー２は、クライアント端末４が接したソケットのオブジェクトを該サーバー２のメモリー上に記憶し、接続が完了する。以上の（１）〜（４）をネットワーク３上のクライアント端末４のすべてに対して行ない、サーバー２のメモリー上に、各クライアント端末４に対応したソケットのオブジェクトを記憶させる。
【００２４】
サーバー２の電源断またはＯＳ終了時には、すべてのクライアント端末４に対するソケットのオブジェクトが開放されるため、すべてのクライアント端末４が未接続状態となる。また、クライアント端末４の電源断またはＯＳ終了時には、サーバーは、該端末に対応したソケットのオブジェクトのみを開放するため、該端末のみが未接続状態となり、他の端末は接続状態が維持される。
【００２５】
緊急事態発生時からクライアント端末での表示までの流れを図２を参照して説明する。まず、火災報知機や緊急地震速報ユニット等の緊急情報通知機器１が緊急事態の発生を検知し、サーバー２に信号を発信する（Ｓ１）。サーバー２は、緊急情報通知機器１から入力信号を受け取ったときに、接続されている外部入力インターフェースの場所（チャンネル番号）の違い等から信号発信元の機器を判別する（Ｓ２）。サーバー２には、接続されている各緊急情報通知機器に対応した表示命令信号の情報を記憶装置内に格納してあるので、上記の信号受取・機器判別後、信号発信元の機器に対応した表示命令信号をネットワーク３を介して各クライアント端末４に送信する（Ｓ３）。例えば、サーバー２で火災報知機の入力信号を受け取った場合は、火災報知機が接続されたチャンネル番号等を示すパケット信号をクライアント端末４に送信する。
【００２６】
サーバー２から各クライアント端末４に送信される表示命令信号は、パケット長が最大９文字の短いパケット信号（”ＩＲＱ  ＸＸＸ改行”等）である。また、表示命令信号を送信先となるクライアント端末４の情報は、サーバー２のメモリー上の記憶された各クライアント端末４のソケット情報に基づくものである。
【００２７】
上記（Ｓ２）および（Ｓ３）の動作は、サーバー２が、該サーバーのＯＳ上で実行されているプログラムで自動制御して行なう。サーバーのＯＳおよび上記プログラムの使用言語等については、上記（Ｓ２）および（Ｓ３）の動作を実現できるものであれば、公知のものを採用できる。
【００２８】
なお、サーバー２からの表示命令信号は、手動制御によりクライアント端末４に送信することもできる。例えば、サーバー２の表示装置２ａをタッチパネルとし、図３に示すような予め登録した緊急表示の一覧を表示し、管理者等が、いずれかのボタンを押すことで、該登録された緊急表示の表示命令信号をクライアント端末４に送信する。また、任意のクライアント端末４からサーバー２にアクセスし、該クライアント端末で操作してサーバー２から表示命令信号を各クライアント端末に送信させることもできる。
【００２９】
クライアント端末４は、サーバー２より表示命令信号を受け取ったときに、即時に、該表示命令信号に対応した画像を表示装置に表示する（Ｓ４）。表示命令信号に対応した画像は、予め端末に登録しておく。例えば、火災報知機が接続されたチャンネル番号等を示すパケット信号を受け取った場合には、該パケット信号に対して予め登録されている火災発生を示す画像を表示し（図４（ａ）参照）、緊急地震速報ユニットが接続されたチャンネル番号等を示すパケット信号を受け取った場合には、該パケット信号に対して予め登録されている地震発生を示す画像を表示する（図４（ｂ）参照）。登録する画像は、緊急情報通知機器の種類等の対応させた任意の画像を使用でき、例えば図５に示すようなものが挙げられる。
【００３０】
また、クライアント端末４は、必要に応じてスピーカー等の音声再生装置を備え、上記画像の表示と同時に、該画像と対応して登録した音声を再生することもできる。音声出力も併せることで、画像の見過ごし等を防止できる。
【００３１】
上記（Ｓ４）の動作および音声再生等は、クライアント端末４のＯＳ上で実行されているプログラムで制御して行なわれる。クライアント端末４のＯＳおよび上記プログラムの使用言語等については、上記（Ｓ４）の動作を実現できるものであれば、公知のものを採用できる。
【００３２】
画像を表示する時間等についての動作設定は、該プログラムにおいて任意に設定できる。また、動作設定として、このプログラム以外のエディタ等の他のプログラムが実行中であっても、表示装置の画面最前面に表示されるように設定できる。最前面に割り込み表示をすることで、画像の見過ごし等を防止できる。端末起動中は常に表示命令信号を受け取り可能とするため、該プログラムはＯＳ起動と同時に常駐させておくことが好ましい。
【００３３】
サーバー２の表示装置２ａにおいて、クライアント端末４と同様の緊急情報を伝える画像を表示する場合には、上記プログラムと同様のプログラムをサーバー２のＯＳ上で実行させる。この場合、サーバー２は、緊急情報通知機器１から入力信号を受け取ったときに、信号発信元の緊急情報通知機器１に対応した該サーバーに登録された画像を表示装置２ａに表示する。
【００３４】
上記画像表示等の動作制御に加えて、上述の画像や音声の登録自体も行なう機能を備えたプログラムについて説明する。このプログラムは、クライアント端末および／またはサーバーにおいて、上記画像を、表示装置に表示された画面上で列挙された枠毎に該画像の内容を確認しつつ登録する手段を有する。登録画面の一例を図６に示す。図６の列挙された各枠において、通し番号が表示命令信号に対応して付されており、各枠をクリック等して画像保存先を入力することで登録できる。登録する画像の内容はこの一覧画面において確認できる。
【００３５】
サーバー２、または、いずれかのクライアント端末４において、一度、画像・音声の登録、動作設定を行なえば、他の端末については、該プログラムをインストールするとともに、上記登録済みのファイル等で構成されたフォルダ自体を複製することで、同様の動作を行なうことができる。
【００３６】
上記（Ｓ１）〜（Ｓ３）の動作は、緊急情報通知機器−サーバー間の信号伝達、サーバー−クライアント端末間のパケット信号伝達で行なわれ、途中での管理者等の介在や、サーバー上での緊急状態の解析作業等がないため、瞬時に実行することができる。また、上記（Ｓ４）の動作は、クライアント端末４において表示命令信号を受け取ったときに即時に実行される。このため、緊急事態発生時からクライアント端末での表示までの動作（（Ｓ１）〜（Ｓ４））が瞬時に行なわれ、施設内で発生した緊急情報を、クライアント端末を使用する各人に、発生からライムラグが少なく伝達することができる。
【産業上の利用可能性】
【００３７】
本発明の緊急情報ネットワーク表示システムは、既設のネットワーク環境を利用して簡易に使用でき、緊急情報を、その施設内の各人のＰＣに瞬時に表示して伝達できるので、役所、学校、工場、民間会社などの施設において火災、地震、不法侵入などに対する防犯システムとして、または、その他の情報伝達システムとして好適に利用できる。
【図面の簡単な説明】
【００３８】
【図１】本発明の緊急情報ネットワーク表示システムの一実施例を示す模式図である。
【図２】緊急事態発生時からクライアント端末での表示までの信号の流れを示す図である。
【図３】サーバーにおける手動制御のタッチパネル画面を示す図である。
【図４】クライアント端末の表示装置に表示される緊急情報を伝える画像の例である。
【図５】緊急情報を伝える画像の他の例である。
【図６】画像等の登録を行なう機能を備えたプログラムの操作画面を示す図である。
【符号の説明】
【００３９】
１  緊急情報通知機器
２  サーバー
３  ネットワーク
４  クライアント端末
【図１】
2010113472.tif 000003
【図２】
2010113472.tif 000004
【図３】
2010113472.tif 000005
【図４】
2010113472.tif 000006
【図５】
2010113472.tif 000007
【図６】
2010113472.tif 000008